(57)【要約】【課題】縦置き、横置きの何れにも対応できる濾過用カートリッジを提供する。【解決手段】濾過用カートリッジ１は合成樹脂製の濾板２の表裏両面を濾過膜で覆うことにより作られており、濾板２は正面から見て縦長の長方形を呈しており、この濾板２の表裏両面には上端縁と平行で上端縁のやや下側に濾過水集合溝４が形成されているとともに一側縁と平行で一端縁のやや内側にも前記濾過水集合溝４に対して直角に向く濾過水集合溝５が形成されており、両濾過水集合溝４，５で囲まれる濾板２の表裏両面において一端が濾過水集合溝４，５の何れかに連通するように斜め４５度の角度で等間隔おきに互いに平行となるように濾過水流入溝６が形成されており、濾板２の上端縁に濾過水吸引ノズル７が形成されており、この濾過水吸引ノズル７の真下には両濾過水集合溝４，５の連通部であるコーナーに繋がるように濾板２の表裏両面に貫通する集水部８が形成されている。【選択図】図２
2008073680.tif 000002
【特許請求の範囲】
【請求項１】
水濾過を行なうために水処理槽内に浸漬されて使用される濾過用カートリッジであって、この濾過用カートリッジは合成樹脂製の濾板の表裏両面を濾過膜で覆うことにより作られており、濾板は正面から見て縦長の長方形を呈しており、この濾板の表裏両面には上端縁と平行で上端縁のやや下側に濾過水集合溝が形成されているとともに一側縁と平行で一端縁のやや内側にも前記濾過水集合溝に対して直角に向き前記濾過水集合溝に繋がる濾過水集合溝が形成されており、これら両濾過水集合溝で囲まれる濾板の表裏両面において一端が濾過水集合溝の何れかに連通するように斜め４５度の角度で等間隔おきに互いに平行となるように濾過水流入溝が形成されており、濾板の上端縁に濾過水吸引ノズルが形成されており、この濾過水吸引ノズルの真下には前記濾過水集合溝に繋がるように濾板の表裏両面に貫通する集水部が形成されていることを特徴とする濾過用カートリッジ。
【請求項２】
濾過水吸引ノズルは濾板の一端部近傍に形成され、この濾過水吸引ノズルの真下には両濾過水集合溝の連通部であるコーナーに繋がるように濾板の表裏両面に貫通する集水部が形成されていることを特徴とする請求項１記載の濾過用カートリッジ。
【請求項３】
両濾過水集合溝はそれぞれ濾過水吸引ノズル側に向って幅が広くなるように形成されていることを特徴とする請求項２記載の濾過用カートリッジ。
【発明の詳細な説明】
【技術分野】
【０００１】  本発明は、例えば活性汚泥水から汚泥成分を取り除き濾過を行なうために水処理槽内に浸漬されて使用される濾過用カートリッジに関するものである。
【背景技術】
【０００２】  従来のこの種濾過用カートリッジとしては例えば特許文献１に開示されているように、濾板の表面を覆って濾過膜を設け、濾板の上側部に表裏に貫通して集水部を設け、一端が集水部に連通する吸引ノズルを濾板の周縁に設け、濾板の表面に開口する複数のスリットを一端で集水部に連通して濾板の上側部から下側部にわたって並列に設け、隣接するスリットの間隔を濾板の上下方向の長さの１／５〜１／２０としたものが知られている。【０００３】  具体的には、濾板の表面に開口する複数のスリットは上下方向に向いており、各スリットの上端が前記集水部に連通するように構成されている。
【特許文献１】特開平８−２８１２６４号公報
【発明の開示】
【発明が解決しようとする課題】
【０００４】  上記特許文献１に開示されているカートリッジの構成では、図面ではスリットが上下方向に向くように形成され、カートリッジを水処理槽内にセットする方向は縦の一方向のみとなり、高さの低い水処理槽内にカートリッジをセットすることは不可能であった。【０００５】  本発明の目的は、このような課題を解決するものであり、縦置き、横置きの何れにも対応できる濾過用カートリッジを提供することにある。
【課題を解決するための手段】
【０００６】  本発明の請求項１に記載の濾過用カートリッジは、水濾過を行なうために水処理槽内に浸漬されて使用される濾過用カートリッジであって、この濾過用カートリッジは合成樹脂製の濾板の表裏両面を濾過膜で覆うことにより作られており、濾板は正面から見て縦長の長方形を呈しており、この濾板の表裏両面には上端縁と平行で上端縁のやや下側に濾過水集合溝が形成されているとともに一側縁と平行で一端縁のやや内側にも前記濾過水集合溝に対して直角に向き前記濾過水集合溝に繋がる濾過水集合溝が形成されており、これら両濾過水集合溝で囲まれる濾板の表裏両面において一端が濾過水集合溝の何れかに連通するように斜め４５度の角度で等間隔おきに互いに平行となるように濾過水流入溝が形成されており、濾板の上端縁に濾過水吸引ノズルが形成されており、この濾過水吸引ノズルの真下には前記濾過水集合溝に繋がるように濾板の表裏両面に貫通する集水部が形成されていることを特徴とする。【０００７】  請求項２に記載の濾過用カートリッジは、濾過水吸引ノズルは濾板の一端部近傍に形成され、この濾過水吸引ノズルの真下には両濾過水集合溝の連通部であるコーナーに繋がるように濾板の表裏両面に貫通する集水部が形成されていることを特徴とする。【０００８】  請求項３に記載の濾過用カートリッジは、両濾過水集合溝はそれぞれ濾過水吸引ノズル側に向って幅が広くなるように形成されていることを特徴とする。
【発明の効果】
【０００９】  以上のように、本発明の濾過用カートリッジは、濾過水流入溝が両濾過水集合溝の何れかに連通するように斜め４５度の角度で形成されていることから、濾過用カートリッジを縦・横どちらの方向に向けて使用することが可能であり、高さの低い水処理槽にも対応できる。また、両濾過水流入溝の幅を濾過水吸引ノズルに向って広く形成することにより、濾過水流入溝に濾過水流入溝から流れ込む水の流動抵抗を小さくできる。
【発明を実施するための最良の形態】
【００１０】  以下、本発明の実施の形態を、図面に基づき具体的に説明する。
先ず図１〜図５に示す第１の実施の形態について説明すると、１は例えば活性汚泥水から汚泥成分を取り除き濾過を行なうために水処理槽内に浸漬されて使用される濾過用カートリッジであって、この濾過用カートリッジ１は合成樹脂製の濾板２の表裏両面を濾過膜３で覆うことにより作られている。濾板２は正面から見て縦長の長方形を呈しており、この濾板２の表裏両面には上端縁と平行で上端縁のやや下側に濾過水集合溝４が形成されているとともに一側縁（図２では左側縁）と平行で一端縁のやや内側にも前記濾過水集合溝４に対して直角に向く濾過水集合溝５が形成されている。６は前記濾過水集合溝４と濾過水集合溝５で囲まれる濾板２の表裏両面において一端が濾過水集合溝４，５の何れかに連通するように斜め４５度の角度で等間隔おきに互いに平行となるように形成された濾過水流入溝で、この濾過水流入溝６の他端は濾板２の他側縁（図２では右側縁）および下端縁の何れかに向いて濾過水集合溝４，５から外側に突出しないように形成されている。つまり、濾過水流入溝６の他端は前記濾過水集合溝４，５の何れにも連通しないように形成されていて、濾板２の他側縁および下端縁から離れている。【００１１】  ７は濾板２を長辺側が上下方向に向くように立てた状態において上端縁に形成された濾過水吸引ノズルで、この濾過水吸引ノズル７の真下には前記濾過水集合溝４と濾過水集合溝５との連通部であるコーナーに繋がるように濾板２の表裏両面に貫通する集水部８が形成されている。具体的には、この濾過水吸引ノズル７は濾板２を長辺側が上下方向に向くように立てた状態において左端部近傍に形成され、前記濾過水流入溝６は濾過水吸引ノズル７の方向に斜め上向きに形成されている。なお、濾過水集合溝４および濾過水集合溝５は濾過水吸引ノズル７に近い側を下流側とすると、これらの溝幅は下流側に向って広くなるように形成されている。【００１２】  ところで、前記濾板２を長辺側が上下方向に向くように立てた状態において濾板２の下端縁および左右の両側縁は外向きにＶ型に尖った両刃型のテーパー形状となるように形成されている。９はそのテーパー部である。【００１３】  また、１０は濾板２を長辺側が上下方向に向くように立てた状態において上端縁に形成された濾過用カートリッジ１の引っ掛け部で、濾過用カートリッジ１を水処理槽に対して引き上げたり挿入したりする際に治具を引っ掛け部１０に引っ掛けて作業を行なうためのものである。【００１４】  １１は互いに平行な前記濾過水流入溝６，６間における濾板２の表裏両面に形成された高さの低い凸条部で、前記濾過膜３が処理水の吸引力により濾板２の表裏両面に対し密着しないように構成されている。【００１５】  なお、前記濾過膜３は濾板２の表裏両面に対し濾板２の外周の縁部と前記濾過水集合溝４，５および濾過水流入溝６形成部との間で周囲が接合固着されている。【００１６】  上記構成の濾過用カートリッジ１は長辺側が上下方向に向くように立てた状態で水処理槽内に多数並列状態で等間隔おきに散気管の上方に浸漬される。水処理槽内の被処理水は前記濾過膜３より濾過水流入溝６内に流入され濾過水集合溝４，５を通って集水部８を経て濾過水吸引ノズル７より吸引されて水処理槽外に取り出される。このとき、濾過水流入溝４および５の幅は濾過水吸引ノズル７に向って広くなっており、これら濾過水流入溝４および５に濾過水流入溝６から流れ込む水の流動抵抗が小さくなる。また、前記散気管より噴出されたエアーは隣り合う濾過用カートリッジ１間の隙間を通って上昇する。このとき、エアーは濾過用カートリッジ１の表面を形成する濾過膜３に接触して、濾過膜３の表面の汚れを掻き落とす働きをする。ところで、本実施の形態の濾過用カートリッジ１の濾板２の下端縁には外向きにＶ型に尖った両刃型のテーパー部９が形成されていることから、散気管より噴出されたエアーがテーパー部９をガイドとして隣り合う濾過用カートリッジ１間の隙間に進入しやすく、濾過膜３の表面の汚れ除去効率を向上させることができる。また、濾過用カートリッジ１の濾板２の下端縁の他、左右の両側縁にも外向きにＶ型に尖った両刃型のテーパー部９が形成されており、前記濾過水流入溝６が濾過水集合溝４，５の何れかに連通するように斜め４５度の角度で形成されていることから、濾過用カートリッジ１を横置きにしても使用可能で、しかも散気管より噴出されたエアーが隣り合う濾過用カートリッジ１間の隙間に進入しやすく、濾過膜３の表面の汚れ除去効率を向上させることができる。【００１７】  以上述べた第１の実施の形態では、濾板２を長辺側が上下方向に向くように立てた状態において濾板２の下端縁および左右の両側縁は外向きにＶ型に尖った対称両刃型のテーパー形状となるように形成されているが、濾板２の下端縁および左右の両側縁を図６に示す第２の実施の形態のように外向きに尖った片刃型のテーパー形状となるように形成しても良く、あるいは図７に示す第３の実施の形態のように外向きにＶ型に尖った非対称両刃型のテーパー形状となるように形成しても良い。
【図面の簡単な説明】
【００１８】
【図１】本発明の第１の実施の形態における濾過用カートリッジの分解斜視図である。
【図２】同濾過用カートリッジに使用される濾板の拡大正面図である。
【図３】図２のＸ−Ｘ断面図である。
【図４】図２のＹ−Ｙ断面図である。
【図５】同濾過用カートリッジの完成斜視図である。
【図６】本発明の第２の実施の形態における濾過用カートリッジに使用される濾板の要部拡大断面図である。
【図７】本発明の第３の実施の形態における濾過用カートリッジに使用される濾板の要部拡大断面図である。
【符号の説明】
【００１９】  １        濾過用カートリッジ
２        濾板
３        濾過膜
４，５    濾過水集合溝
６        濾過水流入溝
７        濾過水吸引ノズル
８        集水部
９        テーパー部
【図１】
2008073680.tif 000003
【図２】
2008073680.tif 000004
【図３】
2008073680.tif 000005
【図４】
2008073680.tif 000006
【図５】
2008073680.tif 000007
【図６】
2008073680.tif 000008
【図７】
2008073680.tif 000009